【事件の表示】
　特許第２６５３７２７号「インクリボンカセット」の請求項１ないし２に係る特許に対する特許異議の申立てについて、次のとおり決定する。
【結論】
　訂正を認める。
　特許第２６５３７２７号の請求項１に係る特許を維持する。
【理由】
１．手続の経緯
　本件特許第２６５３７２７号発明は、平成３年１月２９日に特許出願され、平成９年５月２３日にその特許の設定の登録がなされ、その後、前山恭子より特許異議の申立がなされ、取消理由通知がなされ、その指定期間内である平成１１年４月３０日に訂正請求がなされたものである。
２．訂正の適否についての判断
（１）訂正事項
▲１▼訂正事項ａ
　特許請求の範囲の【請求項１】の「印字ヘッドが臨む凹部」を「印字ヘッドが臨む
、両側に側壁を有する
、定位置に配置された
定位置に
▲２▼訂正事項ｂ
　特許請求の範囲の【請求項２】を削除する。
▲３▼訂正事項ｃ
　明細書の段落番号【００１０】の「印字ヘッドが臨む凹部」を「印字ヘッドが臨む
、両側に側壁を有する
、定位置に配置された
定位置に
▲４▼訂正事項ｄ
　明細書の段落番号【００１４】の「ガイドするガイドローラ」を「ガイドする
、定位置に配置された
▲５▼訂正事項ｅ
　明細書の段落番号【００１８】の「配置し」を「
定位置に
▲６▼訂正事項ｆ
　明細書の段落番号【００２０】の「配置し」を「
定位置に
（２）訂正の目的の適否、新規事項の有無及び拡張・変更の存否
　上記訂正事項ａ、ｂは、願書に添付した明細書及び図面に記載した事項の範囲内であり、特許請求の範囲の減縮に該当し、実質的に特許請求の範囲を拡張・変更するものではない。
　上記訂正事項ｃ、ｄ、ｅ、ｆは、特許請求の範囲の訂正に伴い、発明の詳細な説明中の対応箇所を訂正するものであるから、明りょうでない記載の釈明に該当し、且つ、願書に添付した明細書及び図面に記載した事項の範囲内であり、実質的に特許請求の範囲を拡張・変更するものではない。
（３）独立特許要件
▲１▼訂正明細書の請求項１に係る発明
　訂正明細書の請求項１に係る発明は、その特許請求の範囲の請求項１に記載された事項により特定される次のとおりのものと認める。
「【請求項１】　カセットケースに、印字ヘッドが臨む
、両側に側壁を有する
、定位置に配置された
定位置に
▲２▼取消理由の概要
ア．特許法第２９条第１項第３号違反について
　当審が通知した取消理由において引用した刊行物１（特開昭６２−２７０３７２号公報）には、第３図より「カセットケース（１１）に、ヘッド（１２）が臨む凹部と、該凹部の両側に形成されたリボン（３）の出口及び入口と、該入口から内部に至るリボン（３）をガイドするガイドローラ（１０）とを備えてなり、リボン（３）を上記ガイドローラ（１０）に対し押圧するスプリングを備えないリボンカセットにおいて、上記入口の形態を、印字中のヘッド（１２）と上記ガイドローラ（１０）との間におけるリボン（３）が直線をなすように形成すると共に、該リボン（３）のインク面と上記カセットケース（１１）の内壁が非接触となるようにし、更に、上記ガイドローラ（１０）を上記リボン（３）の表面側に接触した状態となるように配置し且つ該ガイドローラ（１０）により案内された該リボン（３）を引き続き案内する別のガイドローラ（１０）を該リボン（３）の裏面側に接触した状態となるように配置したリボンカセット。」が記載されているものとと解される。
イ．特許法第２９条の２違反について
　また、同じく当審が通知した取消理由において引用した刊行物２（特願平２−９５１３８号（特開平３−２９３１８６号公報））には、実施例ならびに第１図より「カセットケース（１）に、記録ヘッド（１１）が臨む凹部（１ｃ）と、該凹部（１ｃ）の両側に形成されたインクリボン（４）の開口部（１ｄ２）と、該入口（１ｄ２）から内部に至るインクリボン（４）をガイドするガイドローラ（１ｆ）とを備えてなり、インクリボン（４）を上記ガイドローラ（１ｆ）に対し押圧するスプリングを備えないインクリボンカセットにおいて、上記入口（１ｄ２）の形態を、記録中の記録ヘッド（１１）と上記ガイドローラ（１ｆ）との間におけるインクリボン（４）が直線をなすように形成すると共に、該インクリボン（４）のインク面と上記カセットケース（１）の内壁が非接触となるようにし、更に、上記ガイドローラ（１ｆ）を上記インクリボン（４）の表面側に接触した状態となるように配置し且つ該ガイドローラ（１ｆ）により案内された該インクリボン（４）を引き続き案内する別のガイドローラ（１ｇ）を該インクリボン（４）の裏面側に接触した状態となるように配置したリボンカセット（Ａ）」が記載されている。
ウ．特許法第３６条第５項違反ついて
　同じく当審が通知した取消理由において請求項２に係る発明に記載不備が有る旨指摘した。
▲３▼対比・判断
ア．特許法第２９条第１項第３号違反について
　本件請求項１に係る発明と刊行物１に記載された発明とを対比すると、そのほとんどの構成において一致するが、刊行物１には、本件請求項１に係る発明の構成要件である「カセットケースに、印字ヘッドが臨む
、両側に側壁を有する
イ．特許法第２９条の２違反について
　また、本件請求項１に係る発明と刊行物２に記載された発明とを対比すると、そのほとんどの構成において一致するが、刊行物２には、本件請求項１に係る発明の構成要件である「入口から内部に至るインクリボンをガイドするガイドローラを
定位置に配置
定位置に
ウ．特許法第３６条第５項違反ついて
　また、請求項２は削除されたので、当審が取消理由において通知した請求項２に係る発明の記載不備は解消した。
▲４▼独立特許要件のまとめ
　したがって、本件請求項１に係る発明は、特許出願の際独立して特許を受けることができるものである。
（４）むすび
以上のとおりであるから、上記訂正請求は、特許法第１２０条の４第２項及び同条第３項で準用する第１２６条第２乃至４頃の規定に適合するので、当該訂正を認める。
３．特許異議申立てについての判断
　異議申立人・前山恭子は、上記刊行物１を甲第１号証として提出し、本件発明は、特許法第２９条第１項第３号の規定により特許を受けることができないものであると主張し、また上記刊行物２を甲第２号証として提出して、本件発明は、特許法第２９条の２の規定により特許を受けることができないものであると主張し、また請求項２に係る発明に記載不備が有る旨主張している。
（１）本件発明
　本件発明は、前記２．（３）▲１▼に記載のとおりである。
（２）甲各号証の記載事項
　甲第１、２号証は、上記２．（３）▲２▼取消理由の概要に示した刊行物１、２であり、その記載事項は前記したとおりである。
（３）対比・判断
　上記２．（３）▲３▼対比・判断で記載したとおりであり、異議申立人の上記主張は何れも採用できない。
４．むすび
　以上のとおりであるから、特許異議申立の理由及び証拠方法によっては、本件発明に係る特許を取り消すことはできない。
　また、他に本件発明に係る特許を取り消すべき理由を発見しない。
　よって、結論のとおり決定する。
【異議決定日】
平成１１年９月３０日（１９９９．９．３０）
【訂正の要旨】
訂正の要旨
▲１▼訂正事項ａ
　特許請求の範囲の請求項１ないし２に係る記載、を次のように訂正する。
「【請求項１】　カセットケースに、印字ヘッドが臨む
、両側に側壁を有する
、定位置に配置された
定位置に
▲２▼訂正事項ｂ
　明細書の段落番号【００１０】の「印字ヘッドが臨む凹部」を「印字ヘッドが臨む
、両側に側壁を有する
、定位置に配置された
定位置に
▲３▼訂正事項ｃ
　明細書の段落番号【００１４】の「ガイドするガイドローラ」を「ガイドする
、定位置に配置された
▲４▼訂正事項ｄ
　明細書の段落番号【００１８】の「配置し」を「
定位置に
▲５▼訂正事項ｅ
　明細書の段落番号【００２０】の「配置し」を「
定位置に
（５４）【発明の名称】
　インクリボンカセット
（５７）【特許請求の範囲】
　　【請求項１】　カセットケースに、印字ヘッドが臨む
、両側に側壁を有する
定位置に配置された
定位置に
【発明の詳細な説明】
　　　【０００１】
　　【産業上の利用分野】
　本発明は、インクリボンカセットに係り、更に詳しくは、印字中にインクリボンを円滑に走行させ、巻き出し、巻き取ることができるインクリボンカセットに関する。
　　　【０００２】
　　【従来の技術】
　インクリボンカセットとして、印字装置の印字ヘッド（サーマルヘッド）が臨む凹部と該凹部の両側に形成されたインクリボンの出口及び入口とを有するカセットケースと、該カセットケース内に配置され、上記入口から該カセットケースの内部（インクリボン巻き取り側）に至るインクリボンをガイドするガイド部材とを備えてなるものが知られている。
　　　【０００３】
　上記インクリボンカセットは、上記ガイド部材に上記インクリボンを押圧するスプリングを備えず、上記カセットケースのインクリボン巻き出し側に、上記インクリボンのガイド部と該ガイド部にインクリボンを押圧するスプリングとを備え、上記インクリボンの蛇行等を防止するようにしてある。
　　　【０００４】
　上記インクリボンカセットを印字装置に装填すると、サーマルヘッドが凹部内に位置する。そして、印字を開始すると、サーマルヘッドが、凹部から用紙をセットした印字装置のプラテン側に前進し、インクリボンを用紙へ押し付けて印字を行い、次いで、一旦凹部内に後退すると共に、インクリボンを巻き取り、再びサーマルヘッドが、上記プラテン側に前進し、これら一連の動作を繰り返す。
　　　【０００５】
　　【発明が解決しようとする課題】
　しかしながら、上記インクリボンカセットは、印字中において、インクリボンを用紙に押し付けてそのインクを溶融して用紙に付着させた後、インクリボンを用紙から剥離させるが、この剥離が必ずしも円滑に行われず、そのためにインクリボンの走行面が波打って走行が乱れ、インクリボンに巻き乱れが生じるという課題があった。
　　　【０００６】
　従って、本発明の目的は、インクリボンに巻き乱れを生じさせることなく、円滑に巻き取り、巻き出しを行うことができる、インクリボンカセットを提供することにある。
　　　【０００７】
　　【課題を解決するための手段】
　本発明者等は、印字中におけるインクリボンの巻き乱れの原因について種々検討した結果、巻き乱れの主たる原因が下記の▲１▼、▲２▼にあることを知見した。
　　　【０００８】
　▲１▼カセットケースの凹部の一側に設けられた入口の幅が狭く、インクリボンが該入口の一側壁の外端及び該一側壁に対向する他側壁の内端の２箇所で接触するため、インクリボンの走行に対する抵抗が大きくなること。
　　　【０００９】
　▲２▼印字後、インクリボンが、前述の如く、用紙から離れにくくなってインクリボンの走行を阻害し、しかも、半溶融状のインクが入口の他側壁の内端に付着して▲１▼における走行に対する抵抗を助長すること。
　　　【００１０】
　本発明は上記知見に基づいてなされたもので、カセットケースに、印字ヘッドが臨む
、両側に側壁を有する
、定位置に配置された
定位置に
　　　【００１１】
　　【作用】
　本発明のインクリボンカセットによれば、印字に際し、印字ヘッドによってインクリボンを用紙に押しつけると、印字ヘッドから入口を経由してガイドローラに至るインクリボンが直線になって該入口の両側壁との接触が殆どなく、インクリボンの走行に対する抵抗が軽減される。
　　　【００１２】
　　【実施例】
　以下本発明のインクリボンカセットの一実施例を図面を参照して説明する。
　　　【００１３】
　図１及び図２は本発明のインクリボンカセットの一実施例を示しており、図１は非印字状態におけるインクリボンカセットのカセットケース内部を示す平面図、図２は図１に示すインクリボンカセットの印字状態におけるカセットケース内部を示す平面図である。
　　　【００１４】
　本実施例のインクリボンカセットは、図１及び図２に示す如く、そのカセットケース１に、印字装置のサーマルヘッド５が臨む凹部２と、該凹部２の両側に形成されたインクリボン３の出口２ａ及び入口２ｂと、該入口２ｂから内部（インクリボン巻き取り側）に至るインクリボン３をガイドする
、定位置に配置された
　　　【００１５】
　そして、本実施例のインクリボンカセットは、上記入口２ｂの形態が、図２に示す如く、印字中のサーマルヘッド５と上記ガイドローラ４との間におけるインクリボン３が直線をなすように形成されている。
　　　【００１６】
　これを詳しく説明すれば、上記入口２ｂは、上記凹部２とで共有する一側壁２ｃと該一側壁２ｃに対向する他側壁２ｄとの間隔を従来のインクリボンカセットの場合よりも大きく且つ一側壁２ｃの肉厚を極力薄く形成して構成されている。即ち、上記入口２ｂの一側壁２ｃは、その側面が上記凹部２の方に後退し、印字中におけるサーマルヘッド５から上記ガイドローラ４に至るインクリボン３が、その外端に接触しないように、あるいは接触する場合でも軽く接触して直進するように形成されている。また、上記入口２ｂの他側壁２ｄは、その壁面が上記ガイドローラ４とインクリボン３との接触部よりも後退し、巻き取られるインクリボン３がその内端に接触しないように形成されている。
　　　【００１７】
　従って、印字中のインクリボン３は、上述の如く、サーマルヘッド５から入口２ｂを経由してガイドローラ４に至る間に直線を形成することになる。
　　　【００１８】
　また、図１及び図２に示すように、ガイドローラ４を、インクリボン３の表面側に接触した状態となるように配置し且つ該ガイドローラ４により案内された該インクリボン３を引き続き案内する別のガイドローラ１２を該インクリボン３の裏面側に接触した状態となるように
定位置に
　　　【００１９】
　以上のように構成した本実施例のインクリボンカセットは、非印字時において図１に示すように、インクリボン３が凹部２の左右両側壁の各外端を跨がっており、印字時においては、図２に示すように、凹部２内のサーマルヘッド５がインクリボン３を伴って印字装置のプラテン側に移動し、該プラテン上にセットした用紙にインクリボン３を押し付けてそのインクを熱転写する。この印字に際し、インクリボン３は、サーマルヘッド５から入口２ｂを経由してガイドローラ４に至る間に殆ど入口２ｂに接触することがないため、該入口２ｂでの接触抵抗が殆どなく，インクリボン３を円滑に巻き取り、巻き出すことができる。
　　　【００２０】
　本発明は、上記実施例に何ら制限されるものではなく、要は、上記入口の形態を、印字中の印字ヘッドとガイドローラとの間におけるインクリボンが直線をなすように形成すると共に、該インクリボンのインク面と上記カセットケースの内壁が非接触となるようにし、更に、上記ガイドローラを上記インクリボンの表面側に接触した状態となるように配置し且つ該ガイドローラにより案内された該インクリボンを引き続き案内する別のガイドローラを該インクリボンの裏面側に接触した状態となるように
定位置に
　　　【００２１】
　また、図３及び図４に示すように構成したインクリボンカセットであってもよい。即ち、カセットケース１の一端側（図３、図４の右側）に、ガイドローラ９と、該ガイドローラ９にインクリボン３を押圧するスプリング１０と、ガイドローラ１４と、ガイド壁１５とを配置し、またカセットケース１の他端側（図３、図４の左側でインクリボン３の巻き取り側）であって入口２ｂから離れた箇所に、スプリング１１、ガイドローラ１２、ガイド壁１３とを配置したものであってもよい。なお、図３及び図４中、図１、図２に示す部分と同一部分には同一符号を付してある。
　　　【００２２】
　次に、本発明のインクリボンカセットを具体的な下記実施例に基づいて説明する。
　　　【００２３】
　本実施例では、下記構成を有する図１に示す本発明の実施品を作成した。なお、ｌ１，ｌ２は、それぞれ入口２ｂの両側壁２ｃ、２ｄの奥行、δは両側壁２ｃ、２ｄの間隔である。
　　　【００２４】
（１）入口の形態
　　　【００２５】
　　ｌ１；４．６ｍｍ　　　　　　ｌ２；　１．８ｍｍ　　　　　　δ；３．７ｍｍ
（２）インクリボン
　　▲１▼ベースフィルム；ポリエチレンテレフタレート
　　▲２▼インクの主成分；ポリエステル樹脂ワックス及びカーボンブラック
　　▲３▼幅；ｌ２．７ｍｍ
　　▲４▼長さ；８０ｍ
　　　【００２６】
　次に、本発明の実施品を市販のパーソナルワードプロセッサ（日本電気株式会社製文豪ｍｉｎｉ５ＨＧ）に装▲填▼して印字を行い、インクリボン３の走行性の評価を行った。なお、印字には熱転写専用紙（日本電気株式会社製ＥＦ−５６２３Ａ−４）を用いた。
　　　【００２７】
　比較として、従来の技術で説明した市販品を比較品として用いて本発明の実施品と同様に印字を行い、インクリボンの走行性の評価を行った。
　　　【００２８】
　本発明の実施品及び比較品を用いて熱転写専用紙に印字し、インクリボンの走行性をみた結果、本発明の実施品はインクリボン３が最初から最後まで巻き乱れが生じることなく円滑に走行するのに対し、比較品は印字中にインクリボンが熱転写専用紙に付着して離れないことがあって走行が乱れ、サーマルヘッド５による印字直後にインクリボンにジャミングが発生した。
　　　【００２９】
　即ち、本発明の実施品は、比較品に比べてインクリボンの走行性に優れ、巻き乱れを生じることなく、インクリボンを、円滑に巻き取り、巻き出すことができた。
　　　【００３０】
　　【発明の効果】
　以上説明したように本発明のインクリボンカセットは、インクリボンに巻き乱れを生じさせることなく、円滑に巻き取り、巻き出しを行うことができるものである。
【図面の簡単な説明】
　　【図１】
　本発明の一実施例を示すもので、非印字状態におけるインクリボンカセットのカセットケース内部を示す平面図である。
　　【図２】
　図１に示すインクリボンカセットの印字状態におけるカセットケース内部を示す平面図である。
　　【図３】
　本発明の他の実施例を示すもので、非印字状態におけるインクリボンカセットのカセットケース内部を示す平面図である。
　　【図４】
　図３に示すインクリボンカセットの印字状態におけるカセットケース内部を示す平面図である。
　【符号の説明】
　１　カセットケース
　２　凹部
　２ａ　出口
　２ｂ　入口
　２ｃ　一側壁
　２ｄ　他側壁
　３　インクリボン
　４　ガイド部材（ガイドローラ）